(57)【要約】【課題】オーディオジャックコネクターの提供。【解決手段】オーディオジャックコネクターは回路板との挿入接続に用い、絶縁台体、導通端子、アース端子及び殼体を含む。該絶縁台体は収容空間を備え、該導通端子は該収容空間内に収容される。該アース端子は連接部を備え、該連接部は該絶縁台体上に固定し、該連接部の一端は延伸し接触部を形成し、反対端は延伸し挿入部を形成する。該接触部は該絶縁台体外へと伸出し、該挿入部は回路板に挿入する。該殼体は絶縁台体を包覆し、しかも該アース端子の接触部を圧迫定位する。本考案オーディオジャックコネクターは独立したアース端子を採用し殼体と回路板を連接するため、原材料を節約することができ、しかも不良品率を低下させることができる。【選択図】図２
0003141774.tif 000002
【実用新案登録請求の範囲】
【請求項１】
オーディオジャックコネクターは回路板との挿入接続に用い、絶縁台体、導通端子、アース端子及び殼体を含み、
該絶縁台体は収容空間を備え、
該導通端子は該収容空間内に収容し、
該アース端子は連接部を備え、該連接部は該絶縁台体上に固定し、該連接部の一端は延伸し接触部を形成し、反対端は延伸し挿入部を形成し、該接触部は該絶縁台体外へと伸出し、該挿入部は回路板に挿入し、
該殼体は該絶縁台体を包覆し、しかも該アース端子の接触部を圧迫定位することを特徴とするオーディオジャックコネクター。
【請求項２】
前記絶縁台体は挿入接続部と該挿入接続部から延伸する円柱状を呈するバットジョイント部を備え、該殼体は前殼体と後殼体を含み、該前殼体は中空の円筒と該円筒から延伸する二個の嵌合片を備え、該円筒は該バットジョイント部上を包覆し、該嵌合片は該アース端子の接触部上を圧迫定位し、該後殼体は該挿入接続部上を包覆することを特徴とする請求項１記載のオーディオジャックコネクター。
【請求項３】
前記挿入接続部は相対する両側壁を備え、該各側壁の中央部には収容槽を設置し、該収容槽の底壁位置はさらに陥没し収納槽を形成し、該収納槽は該アース端子の連接部と該前殼体の嵌合片を収容し、該アース端子の接触部は該収容槽内に収容されることを特徴とする請求項２記載のオーディオジャックコネクター。
【請求項４】
前記オーディオジャックコネクターはさらに絶縁片を含み、しかも該絶縁片は該前殼体の嵌合片と該後殼体との間において圧迫接続することを特徴とする請求項３記載のオーディオジャックコネクター。
【請求項５】
前記導通端子は基部及び該基部の一端からそれぞれ垂直に該基部において延伸する二個のアーム部を備え、該基部は該収容空間内に位置し、該各アーム部上には接触アームを延伸し、該接触アームは該収容空間に伸入し該バットジョイント部の部分に位置し、該アーム部上には湾折部を延伸し、該湾折部と該アーム部に対応する接触アームはそれぞれ該アーム部の両側に位置し、該湾折部の端部は回路板に挿入接続することを特徴とする請求項２記載のオーディオジャックコネクター。
【請求項６】
前記オーディオジャックコネクターはさらに封鎖蓋を含み、該封鎖蓋は該収容空間後部に位置することを特徴とする請求項５記載のオーディオジャックコネクター。
【考案の詳細な説明】
【技術分野】
【０００１】
本考案はオーディオジャックコネクターに関する。特にアース端子を備えるオーディオジャックコネクターに係る。
【背景技術】
【０００２】
公知のオーディオジャックコネクターは絶縁台体、殼体及び導通端子を含む。該絶縁台体は収容空間を備え、該収容空間は導通端子を収容する。該殼体上には比較的長いアース端子を延伸し、該アース端子は挿入部を備える。該殼体は該絶縁台体の外表面上を包覆し、該殼体のアース端子は該絶縁台体外において突出し、しかもその挿入部は回路板に挿入する。これによりアース端子を通して干渉信号を回路板のアース点へと導入し、遮蔽効果を達成する。
【０００３】
しかし上記のオーディオジャックコネクターは、アース端子と殼体が一体で、かつアース端子が比較的長いため、製造時に原材料を浪費してしまう。しかも研磨の工程で、アース端子は研磨ジグによる圧迫と衝突で傷つき易く、不良品率が高くなっている。
【考案の開示】
【考案が解決しようとする課題】
【０００４】
本考案が解決しようとする課題は、上記公知技術に存在する欠陥に対して、原材料を節約し、不良品率を低下させることができるオーディオジャックコネクターを提供するものである。
【０００５】
上記課題を解決するため、本考案は下記のオーディオジャックコネクターを提供する。
それは回路板との挿入接続に用い、絶縁台体、導通端子、アース端子、殼体を含み、
該絶縁台体は収容空間を備え、
該導通端子は該収容空間内に収容し、
該アース端子は連接部を備え、該連接部は該絶縁台体上に固定し、該連接部の一端は延伸し接触部を形成し、反対端は延伸し挿入部を形成し、該接触部は該絶縁台体外へと伸出し、該挿入部は回路板に挿入し、
該殼体は該絶縁台体を包覆し、しかも該アース端子の接触部を圧迫定位する。
【課題を解決するための手段】
【０００６】
請求項１の考案は、オーディオジャックコネクターは回路板との挿入接続に用い、絶縁台体、導通端子、アース端子及び殼体を含み、
該絶縁台体は収容空間を備え、
該導通端子は該収容空間内に収容し、
該アース端子は連接部を備え、該連接部は該絶縁台体上に固定し、該連接部の一端は延伸し接触部を形成し、反対端は延伸し挿入部を形成し、該接触部は該絶縁台体外へと伸出し、該挿入部は回路板に挿入し、
該殼体は該絶縁台体を包覆し、しかも該アース端子の接触部を圧迫定位することを特徴とするオーディオジャックコネクターとしている。
請求項２の考案は、前記絶縁台体は挿入接続部と該挿入接続部から延伸する円柱状を呈するバットジョイント部を備え、該殼体は前殼体と後殼体を含み、該前殼体は中空の円筒と該円筒から延伸する二個の嵌合片を備え、該円筒は該バットジョイント部上を包覆し、該嵌合片は該アース端子の接触部上を圧迫定位し、該後殼体は該挿入接続部上を包覆することを特徴とする請求項１記載のオーディオジャックコネクターとしている。
請求項３の考案は、前記挿入接続部は相対する両側壁を備え、該各側壁の中央部には収容槽を設置し、該収容槽の底壁位置はさらに陥没し収納槽を形成し、該収納槽は該アース端子の連接部と該前殼体の嵌合片を収容し、該アース端子の接触部は該収容槽内に収容されることを特徴とする請求項２記載のオーディオジャックコネクターとしている。
請求項４の考案は、前記オーディオジャックコネクターはさらに絶縁片を含み、しかも該絶縁片は該前殼体の嵌合片と該後殼体との間において圧迫接続することを特徴とする請求項３記載のオーディオジャックコネクターとしている。
請求項５の考案は、前記導通端子は基部及び該基部の一端からそれぞれ垂直に該基部において延伸する二個のアーム部を備え、該基部は該収容空間内に位置し、該各アーム部上には接触アームを延伸し、該接触アームは該収容空間に伸入し該バットジョイント部の部分に位置し、該アーム部上には湾折部を延伸し、該湾折部と該アーム部に対応する接触アームはそれぞれ該アーム部の両側に位置し、該湾折部の端部は回路板に挿入接続することを特徴とする請求項２記載のオーディオジャックコネクターとしている。
請求項６の考案は、前記オーディオジャックコネクターはさらに封鎖蓋を含み、該封鎖蓋は該収容空間後部に位置することを特徴とする請求項５記載のオーディオジャックコネクターとしている。
【考案の効果】
【０００７】
本考案オーディオジャックコネクターは独立したアース端子を採用し殼体と回路板を連接するため、アース端子を備えない殼体とアース端子はそれぞれ製造することができ、こうして原材料を節約することができ、しかも不良品率を低下させることができる。
【考案を実施するための最良の形態】
【０００８】
本考案の技術内容、構造特徴、達成しようとする目的及び効果を詳細に説明するため、以下に実施例に図式を合わせ説明する。
【０００９】
図１に示すように、本考案オーディオジャックコネクターは回路板６上に固定する。該回路板６上にはアース孔６１を設置する。該オーディオジャックコネクターは絶縁台体１、アース端子２、導通端子３及び殼体を含む。
【００１０】
図２に示すように、該絶縁台体１は挿入接続部１１、バットジョイント部１２を備える。該バットジョイント部１２は該挿入接続部１１の前端から延伸し、しかも円柱状を呈する。該収容空間１３は該絶縁台体１のバットジョイント部１２及び連接部２１を貫通する。該収容空間１３の貫通方向と該バットジョイント部１２の延伸方向は相同である。該挿入接続部１１は頂壁１１１、該頂壁１１１両端と垂直に連接する両側壁１１２を備える。該頂壁１１１上には一定距離を隔てる二個の凸ブロック１１１１を備える。該側壁１１２の底端には凹槽１１２１を備え、該側壁１１２の中央部には収容槽１１２２を設置する。該収容槽１１２２の底壁上には係合ブロック１１２３を突出設置する。該収容槽１１２２の底壁位置はさらに陥没し収納槽１１２４を形成する。
【００１１】
該アース端子２は連接部２１を備える。該連接部２１は該挿入接続部１１の側壁１１２の収納槽１１２４内に固定し、該連接部２１の一端は延伸し接触部２２を形成し、反対端の垂直連接部２１は延伸し挿入部２３を形成する。該接触部２２は該収容槽１１２２内に設置し、該挿入部２３は該回路板６のアース孔６１中に挿入接続する。
【００１２】
該導通端子３は基部３１及びアーム部３２を備える。該アーム部３２は該基部３１の両側垂直基部３１から上方へと延伸し、該基部３１及び該二個のアーム部３２はU型を呈する。該基部３１は該収容空間１３内に位置する。該各アーム部３２上には接触アーム３３を延伸し、該接触アーム３３は該収容空間１３内に収容され、しかもその前端は該バットジョイント部１２内に伸入する。該アーム部３２上には湾折部３４を延伸し、該湾折部３４及び該アーム部３２と対応する接触アーム３３は該アーム部３２の両側にそれぞれ位置する。該湾折部３４は該絶縁台体１の外部に位置し、該湾折部３４の端部は該回路板６に挿入接続する。特に、ハンダ及びほこりが該挿入接続部１１から該収容空間１３内へと進入することを防ぐため、該封鎖蓋３５は該収容空間１３の後部において密封する。
【００１３】
該殼体は前殼体４及び後殼体５を含む。
該前殼体４は中空の円筒４１及び該円筒４１から延伸する二個の嵌合片４２を備える。  該円筒４１は該バットジョイント部１２の外表面上を包覆する。
該嵌合片４２上には係合孔４２１を設置し、該係合孔４２１は該係合ブロック１１２３上に嵌合し、これにより該嵌合片４２は該アース端子２の接触部２２を圧迫定位する（図３参照）。
該後殼体５は頂部５１及び該頂部５１両端から延伸する側部５２を備える。該頂部５１上には通孔５１１を開設し、該側部５２上には嵌合ブロック５２１を設置する。該通孔５１１は絶縁台体１の挿入接続部１１の凸ブロック１１１１を収容し、該嵌合ブロック５２１は該挿入接続部１１の側壁１１２底端の凹槽１１２１内に収容される。こうして該後殼体５を該絶縁台体１上に嵌合する。該絶縁接触部２２と該後殼体５を絶縁するために、該接触部２２と該後殼体５の間には絶縁片７を挟み設置し、しかも該絶縁片７は該前殼体４の嵌合片４２上と該後殼体５の間に圧迫接触する。
この該絶縁台体１と該前殼体４、及び該後殼体５と該絶縁台体１の間の係合設計は、該絶縁台体１と該前殼体４、及び該絶縁台体１と該後殼体５の結合強度を強化することができる。該係合孔４２１は該係合ブロック１１２３に嵌合し、及び該アース端子は該収納槽１１２４に係合接続する。こうして該嵌合片４２は該アース端子２の接触部２２を圧迫定位し、これにより該殼体はよりよい遮蔽効果を発揮することができる。
【００１４】
上記のように、本考案オーディオジャックコネクターは独立したアース端子２を採用し、殼体と回路板６を連接することにより、アース端子２を備えない殼体とアース端子２はそれぞれ製造することができ、こうして原材料を節約することができ、しかも不良品率を低下させることができる。
【図面の簡単な説明】
【００１５】
【図１】本考案オーディオジャックコネクターの実施例立体図である。
【図２】図１に示すオーディオジャックコネクターの立体分解図である。
【図３】図１の後殼体を取り除いた立体図である。
【符号の説明】
【００１６】
１  絶縁台体
１１  挿入接続部
１２  バットジョイント部
１３  収容空間
１１１  頂壁
１１２  側壁
１１１１  凸ブロック
１１２１  凹槽
１１２２  収容槽
１１２３  係合ブロック
１１２４  収納槽
２  アース端子
２１  連接部
２２  接触部
２３  挿入部
３  導通端子
３１  基部
３２  アーム部
３３  接触アーム
３４  湾折部
３５  封鎖蓋
４  前殼体
４１  円筒
４２  嵌合片
４２１  係合孔
５  後殼体
５１  頂部
５２  側部
５１１  通孔
５２１  嵌合ブロック
６  回路板
６１  アース孔
７  絶縁片
【図１】
0003141774.tif 000003
【図２】
0003141774.tif 000004
【図３】
0003141774.tif 000005